(57)【要約】【課題】  マーカーペンをマーカーペンインク補充器具に簡単かつ確実に装着して所定の位置に保持しうるとともに、マーカーペンインク補充器具内のインクの蒸発を良好に防止することができるようにする。【解決手段】  マーカーペン２５と、このマーカーペンにインクを補充するマーカーペンインク補充器具１とよりなるインク補充式マーカーペン装置１００において、マーカーペンインク補充器具１に、インク貯留室８と、このインク貯留室にインクを補充する開閉式のインク補充口６ａと、マーカーペンのペン先２６をインク貯留室内のインク２４に浸漬するためのペン先差込口５ａと、マーカーペンのペン先が前記インクに浸漬された状態の位置にマーカーペンを保持するための位置保持手段１７，２８と、マーカーペンをペン先差込口に差込まない不使用時におけるインク貯留室内のインクの蒸発を防止するための蒸発防止手段１８とを設ける。【選択図】        図３
2006142721.tif 000002
【特許請求の範囲】
【請求項１】
マーカーペンと、このマーカーペンにインクを補充するマーカーペンインク補充器具とよりなるインク補充式マーカーペン装置において、
マーカーペンインク補充器具に、インク貯留室と、このインク貯留室にインクを補充する開閉式のインク補充口と、マーカーペンのペン先をインク貯留室内のインクに浸漬するためのペン先差込口と、マーカーペンのペン先が前記インクに浸漬された状態の位置にマーカーペンを保持するための位置保持手段と、マーカーペンをペン先差込口に差込まない不使用時におけるインク貯留室内のインクの蒸発を防止するための蒸発防止手段とを設けたことを特徴とするインク補充式マーカーペン装置。
【請求項２】
マーカーペンインク補充器具における蒸発防止手段を、ばね作用に付勢された閉塞部材をもって、ペン先差込口を閉塞しうるようにして構成したことを特徴とする請求項１記載のインク補充式マーカーペン装置。
【請求項３】
マーカーペンの位置保持手段を、ペン先差込口の周縁上面または内周面と、マーカーペンの外周部との一方に磁石を設け、他方に磁石またはその他の磁性材料を設けることにより構成し、これら両者の磁気的吸引力により、ペン先差込口を閉塞している閉塞部材をペン先で押圧して押し下げ閉塞状態を解除した後に、マーカーペンを、そのペン先がインク貯留室内のインクに浸漬された状態の位置に保持させるようにしたことを特徴とする請求項１または２記載のインク補充式マーカーペン装置。
【請求項４】
マーカーペンの位置保持手段を、ペン先差込口に設けた係止部と、マーカーペンに設けた係合部とより構成し、前記係止部を係合部に係合させることにより、ペン先差込口を閉塞している閉塞部材をペン先で押圧して押し下げ閉塞状態を解除した後に、マーカーペンを、そのペン先がインク貯留室内のインクに浸漬された状態の位置に保持させるようにしたことを特徴とする請求項１または２記載のインク補充式マーカーペン装置。
【請求項５】
マーカーペンのペン先がインク貯留室内のインクに浸漬された状態において、ペン先差込口の内周面と、マーカーペンの外周面との間隙を、リング状閉塞部材で閉塞し、インク貯留室内のインクの蒸発を防止するようにしたことを特徴とする請求項１〜４のいずれかに記載のインク補充式マーカーペン装置。
【請求項６】
請求項１〜５のいずれかに記載のマーカーペンインク補充器具。
【請求項７】
請求項３または４に記載のマーカーペン。
【発明の詳細な説明】
【技術分野】
【０００１】
本発明は、マーカーペンと、そのマーカーペンにインクを補充するためのマーカーペンインク補充器具とより構成されるインク補充式マーカーペン装置に関する。
【背景技術】
【０００２】
インク補充式マーカーペン装置は、公知である（たとえば特許文献１）。
特許文献１には、インクが充填されたマーカーペンホルダーに、マーカーペンをセットすることにより、マーカーペンにインクが充填されるものが記載されている。
これにより、マーカーペンを使用する際に、常に鮮明な線が描けるようにするとともに、従来使い捨てだったマーカーペンをリサイクルし、ランニングコストと、廃棄物の排出量を大幅に削減することを意図している。
しかし、この特許文献１には、マーカーペンをマーカーペンホルダーに保持する方法や、マーカーペンホルダー内のインクの蒸発を防止する方法等について、何ら具体的な手段が開示されておらず、実用化することが困難である。
【特許文献１】特開２００４−１７６４８号公報
【発明の開示】
【発明が解決しようとする課題】
【０００３】
本発明は、前記の問題点に鑑み、実用化するうえで問題となるマーカーペンの保持手段や使用時および不使用時の両者におけるインクの蒸発防止等について検討し、マーカーペンをマーカーペンインク補充器具に簡単かつ確実に装着して所定の位置に保持することができるとともに、マーカーペンインク補充器具内のインクの蒸発を良好に防止することができるインク補充式マーカーペン装置を提供することを目的とする。
【課題を解決するための手段】
【０００４】
上記課題は、特許請求の範囲における各請求項に示すように、下記の構成を備える発明によって解決される。
(１)  マーカーペンと、このマーカーペンにインクを補充するマーカーペンインク補充器具とよりなるインク補充式マーカーペン装置において、マーカーペンインク補充器具に、インク貯留室と、このインク貯留室にインクを補充する開閉式のインク補充口と、マーカーペンのペン先をインク貯留室内のインクに浸漬するためのペン先差込口と、マーカーペンのペン先が前記インクに浸漬された状態の位置にマーカーペンを保持するための位置保持手段と、マーカーペンをペン先差込口に差込まない不使用時におけるインク貯留室内のインクの蒸発を防止するための蒸発防止手段とを設ける。
【０００５】
(２)  上記(１)項において、マーカーペンインク補充器具における蒸発防止手段を、ばね作用に付勢された閉塞部材をもって、ペン先差込口を閉塞しうるようにして構成する。
【０００６】
(３)  上記(１)項または(２)項において、マーカーペンの位置保持手段を、ペン先差込口の周縁上面または内周面と、マーカーペンの外周部との一方に磁石を設け、他方に磁石またはその他の磁性材料を設けることにより構成し、これら両者の磁気的吸引力により、ペン先差込口を閉塞している閉塞部材をペン先で押圧して押し下げ閉塞状態を解除した後に、マーカーペンを、そのペン先がインク貯留室内のインクに浸漬された状態の位置に保持させるようにする。
【０００７】
(４)  上記(１)項または(２)項において、マーカーペンの位置保持手段を、ペン先差込口に設けた係止部と、マーカーペンに設けた係合部とより構成し、前記係止部を係合部に係合させることにより、ペン先差込口を閉塞している閉塞部材をペン先で押圧して押し下げ閉塞状態を解除した後に、マーカーペンを、そのペン先がインク貯留室内のインクに浸漬された状態の位置に保持させるようにする。
【０００８】
(５)  上記(１)項〜(４)項のいずれかにおいて、マーカーペンのペン先がインク貯留室内のインクに浸漬された状態において、ペン先差込口の内周面と、マーカーペンの外周面との間隙を、リング状閉塞部材で閉塞し、インク貯留室内のインクの蒸発を防止するようにする。
【０００９】
(６)  上記(１)項〜(５)項のいずれかに記載のマーカーペンインク補充器具とする。
【００１０】
(７)  上記(３)項または(４)項記載のマーカーペンとする。
【発明の効果】
【００１１】
本発明によると、次のような効果が奏せられる。
請求項１記載の発明によれば、マーカーペンのペン先が、マーカーペンインク補充器具におけるインク貯留室内のインクに浸漬された状態の位置にマーカーペンを保持するための位置保持手段が設けられているため、マーカーペンを簡単に所定の位置に保持することができるとともに、不使用時におけるインクの蒸発を防止するための蒸発防止手段が設けられているため、インクの枯渇がなく所望に応じて常時使用することができ、かつインクの有効利用によりランニングコスト上も有利である。
【００１２】
請求項２記載の発明によれば、ばね作用によって付勢された閉塞部材をもって、ペン先差込口が閉塞されているため、インクの蒸発防止が自動的にかつ確実になされる。
【００１３】
請求項３記載の発明によれば、マーカーペンの所定位置への保持が磁気的吸引力によりなされるため、マーカーペンのマーカーペンインク補充器具への装着操作が簡単であるとともに、装着後のマーカーペンの位置安定性も極めて良好である。
【００１４】
請求項４記載の発明によれば、請求項３に記載の発明に準ずる効果が奏せられる。
【００１５】
請求項５記載の発明によれば、一般に比較的長時間となる使用時におけるインクの蒸発を有効に防止することができるため、インクを無駄なく有効に活用することができるとともに、ランニングコスト上も有利である。
【００１６】
請求項６記載の発明によれば、たとえば請求項３または４に記載のマーカーペンと組合わせて、請求項１〜５に記載の発明の効果として記載したものと同様な効果が奏せられる。
【００１７】
請求項７記載の発明によれば、請求項１〜５に記載のマーカーペンインク補充器具と組合わせて、請求項１〜５に記載の発明の効果として記載したものと同様な効果が奏せられる。
【発明を実施するための最良の形態】
【００１８】
以下、本発明の実施形態を図面に基づいて説明する。
【００１９】
図１は、本発明におけるマーカーペンインク補充器具の一実施形態を示す斜視図、図２は、図１におけるII〜II線縦断面図、図３は、図１に示すマーカーペンインク補充器具に、マーカーペンを装着したときの図２に相当する縦断面図、図４は、図２における破線円Ａ内の要部拡大図、図５は、図３における破線円Ｂ内の要部拡大図である。
【００２０】
マーカーペンインク補充器具(１)は、図１に示すように、横長なほぼ直方体の上面(２)が段違いに形成されて、上位上面(３)と下位上面(４)に分けられ、上位上面(３)には３個のペン先差込口(5a)〜(5c)、下位上面(４)には、３個のインク補充口(6a)〜(6c)がそれぞれ並設され、各インク補充口(6a)〜(6c)には、キャップ(7a)〜(7c)が被冠されている。
【００２１】
ペン先差込口(5a)〜(5c)とインク補充口(6a)〜(6c)とは、各１個ずつが一組になっている。図２に示すように、各一組のペン先差込口(5a)とインク補充口(6a)毎に独立したインク貯留室(８)が設けられており、ペン先差込口(5a)とインク補充口(6a)とは、インク貯留室(８)を介して連結されている。
【００２２】
インク貯留室(８)は、インク補充口(6a)の直下に設けられた内容積の大きい縦長な主貯留室(９)と、ペン先差込口(5a)の直下に設けられた内容積の小さい縦長な補助貯留室(10)と、主貯留室(９)の下部と補助貯留室(10)の上部とを連結する横長な中間貯留室(11)とよりなる。
【００２３】
ペン先差込口(5a)は、内径が異なる大円筒孔(12)、中円筒孔(13)、小円筒孔(14)を、２つの逆錐形孔(15)(16)で連結した形態を有し、上から下に順次、大円筒孔(12)、第１逆錐形孔(15)、中円筒孔(13)、第２逆錐形孔(16)、小円筒孔(14)と連結され、小円筒孔(14)の下端は、補助貯留室(10)の上端に連結され開口している。
【００２４】
大円筒孔(12)の内周面(12a)には、厚手の磁石(17)が内張りされている。中円筒孔(12)の下端には、中円筒孔(12)の内径とほぼ同じ外径を有するブチルゴムよりなるリング状閉塞部材(18)が内嵌されている。
【００２５】
補助貯留室(10)は、円筒状貯留部の上部が縮径された形状を有し、その底部は内嵌式のキャップ(19)によって、開閉自在となっている。キャップ(19)の上面(20)中央には、小円板状係止部(21)が突設されており、この小円板状係止部(21)に逆円錐状のコイルばね(22)の下端が、係止固定されている。
【００２６】
コイルばね(22)の上端には、ブチルゴムよりなるボール状閉塞部材(23)が載置され、コイルばね(22)の圧縮応力により上方に向けて付勢されている。
【００２７】
図４に示すように、ボール状閉塞部材(23)は、ペン先差込口(5a)における小円筒孔(14)の下端開口に前記付勢によって押圧され、ペン先差込口(5a)を閉塞している。
この閉塞によって、ペン先差込口(5a)にマーカーペンを差込まない不使用時におけるインク貯留室(８)内のインク(24)の蒸発が有効に防止されるようになっている。
【００２８】
ボール状閉塞部材(23)やコイルばね(22)は、キャップ(19)を、その下面に設けられた係止溝(19a)を利用してドライバーを用いて取り外すことにより補助貯留室(10)内に自由に出入れすることができる。
【００２９】
一方、図３，図５に示すように、マーカーペン(25)のペン先(26)を、ペン先差込口(5a)に差込んだ場合、マーカーペン(25)におけるペン軸(27)の下部外周部に取付けられている磁石(28)と、ペン先差込口(5a)における大円筒孔(12)の内周面に内張りされている厚手の磁石(17)との磁気的吸引力によって、ペン先差込口(5a)を閉塞していたボール状閉塞部材(23)が、ペン先(26)の押圧によりコイルばね(22)の付勢力に抗して押し下げられて前記閉塞が解除された後、マーカーペン(25)のペン先(26)が、補助貯留室(10)内のインク(24)に浸漬された状態となる位置にマーカーペン(25)が保持される。
【００３０】
インク(24)は、ペン先(26)より毛細管現象によって吸い上げられ、ペン軸(27)内のインク貯留タンク（図示省略）に補充される。
【００３１】
補助貯留室(10)内のインク(24)の液レベルが下がり、中間貯留室(11)の上面(29)よりも下がろうとすると、補助貯留室(10)内の上部にあった空気の一部が中間貯留室(11)を介して主貯留室(９)内に移動し、主貯留室(９)内上部の空気(30)と、補助貯留室(10)上方の空気(31)との圧力バランスにより、主貯留室(９)内のインク(32)の液レベルが下がり、補助貯留室(10)内のインク(24)の液レベルが上がるため、補助貯留室(10)内のインク(24)の液レベルは、常にほぼ一定に保たれる。
【００３２】
ペン先差込口(5a)における中円筒孔(13)の内周面と、マーカーペン(25)の外周面との間隙は、中円筒孔(13)の下端に内嵌されたリング状閉塞部材(18)によって閉塞されている。
【００３３】
リング状閉塞部材(18)は、ブチルゴムによって形成されており、ペン先差込口(5a)における大円筒孔(12)に内張りされた磁石(17)と、マーカーペン(25)のペン軸(27)の外周面下端に設けられた磁石(28)との磁気的吸引力により押圧されて、図５に示すように、弾性的に変形し、良好な閉塞機能が発揮されるようになっている。この閉塞によって、マーカーペン(25)がマーカーペンインク補充器具(１)に装着された使用状態中におけるインク貯留室(８)内のインク(24)の蒸発が有効に防止される。
【００３４】
本発明のインク補充式マーカーペン装置(100)は、前記のようなマーカーペンインク補充器具(１)とマーカーペン(25)とにより構成されている。
【００３５】
図１に示すように、マーカーペンインク補充器具(１)には、独立した３組のペン先差込口(5a)〜(5c)、インク補充口(6a)〜(6c)、インク貯留室(８)があり、たとえば各組毎に異なる色のインクを貯留してマーカーペン(25)に補充することができる。
【００３６】
図６は、第２実施形態のインク補充式マーカーペン装置(200)を示す図３に対応する縦断面図である。
【００３７】
第１実施形態と異なる点は、マーカーペン(33)の位置保持手段を、ペン先差込口(34)に設けた係止部(35)と、マーカーペン(33)に設けた係合部(36)とより構成し、前記係止部(35)を係合部(36)に係合させることにより、ペン先差込口(34)を閉塞しているボール状閉塞部材(37)をペン先(38)で押圧して押し下げ閉塞状態を解除した後に、マーカーペン(33)を、そのペン先(38)がインク貯留室(39)内のインク(40)に浸漬された状態の位置に保持されるようになっている。
【００３８】
ペン先差込口(34)における係止部(35)は、ペン先差込口(34)の上端周縁に内向きに突出する全周に亘る突条(35a)を設けることにより形成され、マーカーペン(33)における係合部(36)は、マーカーペン(33)におけるペン軸(41)の外周面下端近傍に、全周に亘って係合溝(36a)を設けて形成されている。
【００３９】
マーカーペン(33)をペン先差込口(34)に差込み下向きに移動させることにより、所定位置で前記係止部(35)が係合部(36)に自動的に係合されるようになっている。
【００４０】
マーカーペンインク補充器具(42)およびマーカーペン(33)におけるその他の点については、第１実施形態と同様に構成されている。
【図面の簡単な説明】
【００４１】
【図１】本発明におけるマーカーペンインク補充器具の一実施形態を示す斜視図である。
【図２】図１におけるII〜II線縦断面図である。
【図３】図１に示すマーカーペンインク補充器具に、マーカーペンを装着したときの図２に相当する縦断面図である。
【図４】図２における破線円Ａ内の要部拡大図である。
【図５】図３における破線円Ｂ内の要部拡大図である。
【図６】第２実施形態のインク補充式マーカーペン装置を示す図３に対応する縦断面図である。
【符号の説明】
【００４２】
(100)(200)インク補充式マーカーペン装置
(１)マーカーペンインク補充器具
(２)上面
(３)上位上面
(４)下位上面
(5a)〜(5c)ペン先差込口
(6a)〜(6c)インク補充口
(7a)〜(7c)キャップ
(８)インク貯留室
(９)主貯留室
(10)補助貯留室
(11)中間貯留室
(12)大円筒孔
(13)中円筒孔
(14)小円筒孔
(15)第１逆錐形孔
(16)第２逆錐形孔
(17)磁石
(18)リング状閉塞部材
(19)キャップ
(19a)係止溝
(20)上面
(21)小円板状係止部
(22)コイルばね
(23)ボール状閉塞部材
(24)インク
(25)マーカーペン
(26)ペン先
(27)ペン軸
(28)磁石
(29)上面
(30)(31)空気
(32)インク
(33)マーカーペン
(34)ペン先差込口
(35)係止部
(35a)突条
(36)係合部
(36a)係合溝
(37)ボール状閉塞部材
(38)ペン先
(39)インク貯留室
(40)インク
(41)ペン軸
(42)マーカーペンインク補充器具
【図１】
2006142721.tif 000003
【図２】
2006142721.tif 000004
【図３】
2006142721.tif 000005
【図４】
2006142721.tif 000006
【図５】
2006142721.tif 000007
【図６】
2006142721.tif 000008